【事件の表示】
　特願２０００−５１９８１６「選択的に磁性又は非磁性トナーで作動し得るプリント又は複写装置」拒絶査定不服審判事件〔平成１１年　５月２０日国際公開、ＷＯ９９／２４８７７、平成１３年１１月２０日国内公表、特表２００１−５２３０１５〕について、次のとおり審決する。
【結　論】
　本件審判の請求は、成り立たない。
【理　由】
１．手続きの経緯
　本願は、平成９年１１月６日を国際出願日とする出願であって、平成１９年５月１４日付けで通知された拒絶理由に対して、同年８月１３日付けで手続補正書が提出された後、同年１１月１６日付けで拒絶査定がなされたものであって、これに対して平成２０年２月２０日付けで審判請求がなされたものである。
　
　平成１９年８月１３日付けの手続補正書により補正された特許請求の範囲の請求項１に係る発明（以下、「本願発明１」という。）は、次のとおりのものである。
　
「多機能プリント又は複写装置であって、
　単一の装置内に、第１動作モードでＭＩＣＲトナーを用いて記録担体をプリントするか、又は、第２動作モードで非磁性トナーを用いて記録担体をプリントする装置構成部を有しており、
　前記装置構成部は下記構成要素を有し、即ち　ＭＩＣＲトナーを含んでいる現像ステーション（ＥＳ）か又は非磁性トナーを含んでいる現像ステーション（ＥＳ）を代替選択的に交換可能に収容するための、当該装置内に配置された収容装置（ＡＶ）を有し、前記現像ステーション（ＥＳ）は光導電体上にトナー像を生成するものであり、
　記録担体上へトナー像を転写するための転写ステーション（１５）を有し、
　収容装置（ＡＶ）内に配された現像ステーション（ＥＳ）に依存して動作モードを設定する動作制御部（ＨＭ）を有し、
　該動作制御部（ＨＭ）と作用結合しているプロセス制御部（ＰＳ）を有し、該プロセス制御部は、調整セッティングされた動作モードに依存して、プリントプロセスに関与する部分ユニット（ＦＬ、ＵＳ、ＦＸ、ＰＴ）のプロセスパラメータの調整セッティング値を設定するものであることを特徴とする、選択的に磁性又は非磁性トナーで作動し得るプリント又は複写装置。」
　
　
２．引用例に記載された発明
（１）引用例１
　これに対して、原査定の拒絶の理由に引用された、本願の国際出願日前に頒布された特開平４−１０９２６０号公報（以下、「引用例１」という。）には、図面とともに以下の事項が記載されている。なお、下線は当審で付与した。
　
（１ａ）「２．特許請求の範囲
（１）
少なくとも像担持体と複数個の現像手段とを一体化したカラーカートリッジと、少なくとも像担持体と現像手段とを一体化したモノクロカートリッジとを交換可能に設けるとともに、
　
装置本体に装填された該カラーカートリッジあるいは該モノクロカートリッジを識別する識別手段と、
　
該識別手段の識別に基づいてカラー調整モードあるいはモノクロ調整モードを選択し、画像形成プロセス部を調整する制御手段と、
を有することを特徴とする画像形成装置
（２）
前記制御手段による画像形成プロセスの調整が前記現像手段に収容されている現像剤の調整である
（３）
前記制御手段による調整が帯電、基準露光、現像の画像形成プロセスに基づいた帯電電位、露光量、現像バイアスの調整である
（４）
前記カラーカートリッジあるいは前記モノクロカートリッジを前記装置本体に装填すると自動的に前記識別手段により識別し、前記制御手段により画像形成プロセスを調整する
　
（１ｂ）「〔産業上の利用分野〕
　
本発明は、電子写真方式により像担持体上にトナー像を形成し、該トナー像を転写材上に転写して画像を得るようにした画像形成装置に関し、特に、少なくとも像担持体と現像手段とを一体化したカートリッジを着脱自在に設けたプリンタ，複写機，ファクンミリ等の画像形成装置に関する
　
（１ｃ）「〔実施例〕
　次に、本発明を添付図面に示す一実施例に基づいて説明する。
　第１図は、カラーカートリッジを装着したプリンタの主要断面を左側面から示したものである。装置本体１０は、その前面に操作パネル１１と開閉自在の上部カバー１２、トナー供給カバー１３、前面カバー１４等によって包囲され、内部には着脱自在のカラーカートリッジ１５と給紙カセット１６が設けられている。
　第１図において、像担持体である感光体ベルト１７は、可撓性のベルト表面に感光層を塗設あるいは蒸着したもので、駆動ローラ１８と従動ローラ１９の間に張設されている。駆動ローラ１８は、装置本体１０に設けられたギヤと噛合している駆動ギヤを介して回転し、感光体ベルト１７を時計廻り方向に搬送する。また、間隔保持部材２０により現像器２３ａ〜２３ｄと感光体ベルト１７との距離を一定に保たれ、安定して良好な画像を形成することを可能としている。本実施例では、像担持体として感光体ベルト１７を用いているが、本発明はこれに限られるものではなく、感光体ドラム等感光層を有する既存の像担持体にも適用できる。
　
感光体ベルト１７の周囲には、帯電手段２１，露光手段２２，現像手段２３ａ〜２３ｄ，転写手段２４およびクリーニング手段２５が配設されている
　
（１ｄ）上記（１ｃ）において参照する第１図は、以下のとおりである。
　
　
（１ｅ）「現像手段は、異なる色の現像剤、例えはイエロー、マゼンタ、シアンおよびブラックの各色トナー（現像剤）をそれぞれ収容した４個の現像器２３ａ〜２３ｄである。これら各現像器２３ａ〜２３ｄは、感光体ベルト１７と所定の間隙を保つ現像スリーブ２３１ａ〜２３１ｄと各色トナーを撹拌する撹拌スクリュー２３２ａ〜２３２ｄを備え、感光体ベルト１７上の静電潜像をトナー像に非接触現像法により顕像化する機能を有している。この非接触現像法は、接触現像法と異なり、感光体ベルト１７上に形成された先のトナー像を損なわないことと、感光体ベルト１７の移動を妨げないので、良好なカラー画像を得ることができる。
　
転写手段は、転写コロナ放電器などの転写器２４により、感光体ベルト１７上に形成されたトナー像を転写材上に転写する
　
（１ｆ）「次に、カラーカートリッジ１５を装置本体１０への装填について、第１図のＡＡ断面の矢視図である第２図と、装置本体１０の主要断面図である第３図に基づいて説明する。
　
　（略）
　
　一方、
装置本体１０のカラーカートリッジ収納室
　
（１ｇ）上記（１ｆ）において参照する第３図は、以下のとおりである。
　
　
（１ｈ）「次に、
モノクロカートリッジ１５Ｍを用いた場合
　モノクロカートリッジ１５Ｍを用いた場合の画像形成装置は、断らない限り前記カラーカートリッジ１５を用いた画像形成装置と同じ構成、機能を果すものである。モノクロカートリッジ１５Ｍについても前記カラーカートリッジ１５と同じ構成、機能を持っているが、
現像器２３だけはイエロー、マゼンタ、シアン、ブラックトナー用の現像器２３ａ〜２３ｄすべてを設ける必要がなく、例えばブラックトナー用の現像器２３ｄのみが設けられており、トナー補給部３２も１つだけ突設されている
　
（１ｉ）「識別手段４１として、例えは装置本体にセンサであるフォトカプラ４１１ａ，４１１ｂを設るとともに、該フォトカプラ４１１ａ，４１１ｂにそれぞれ対応するカラーカートリッジ１５に突起４１２ａを、モノクロカートリッジ１５Ｍに突起４１２ｂを設ける。すなわち、カラーカートリッジ１５あるいはモノクロカートリッジ１５Ｍが画像形成が可能な位置にあるとき、フォトカプラ４１１ａ，４１１ｂと突起４１２ａ，４１２ｂによりカラーカートリッジ１５あるいはモノクロカートリッジ１５Ｍであることを識別する。
カラーカートリッジ１５が画像形成が可能な位置にあるときは、フォトカプラ４１１ａは突起４１２ａを検出するので、カラー調整モードに切り替えるとともに、画像形成プロセス部の制御をカラーモードに切り替える
モノクロカートリッジ１５が画像形成が可能な位置にあるときは、フォトカプラ４１１ｂが突起４１２ｂを検出するので、調整モードをモノクロモードに切り替えるとともに、画像形成プロセス部もモノクロモードに切り替える
　
（１ｊ）「次に、カラーカートリッジ１５あるいはモノクロカートリッジ１５Ｍを装置本体１０に装填してから画像形成の調整終了までのプロセスを第４図の制御ブロック図と第５図のフローチャートによって説明する。
　
カートリッジが装置本体１０に装填されると、上述した識別手段４１によりそれがカラーカートリッジ１５であるかあるいはモノクロカートリッジ１５Ｍであるかを識別
　まず最初に、カラーカートリッジ１５が装置本体１０に装填された場合について説明する。
　上述のように
装填されたカートリッジがカラーカートリッジ１５であることを識別手段４１が識別すると、制御手段はカラー調整モードを選択
画像形成プロセス部を調整
　
（１ｋ）上記（１ｊ）において参照する第４図及び第５図は、以下のとおりである。
　
　
　  
　
（１ｍ）「次に、モノクロカートリッジ１５Ｍが装置本体１０に装填された場合の画像形成の調整終了までのプロセスについて説明する。
　
装填されたカートリッジがモノクロカートリッジ１５Ｍであることを識別手段４１が識別すると、制御手段はモノクロ調整モードを選択
画像形成プロセス部を調整
　
　上記（１ａ）〜（１ｍ）の摘記事項を総合して勘案すると、引用例１には以下の発明（以下、「引用例１記載の発明」という。）が実質的に記載されている。
「プリンタ、複写機、ファクシミリ等の画像形成装置であって、
　当該装置内に、モノクロモードでブラックトナーを用いて転写材に画像を得るか、又は、カラーモードでイエロートナー、マゼンタトナー、シアントナー、ブラックトナーを用いて転写材に画像を得る下記構成要素を有し、即ち、
　ブラックトナーを含んでいるモノクロカートリッジか、又は、イエロートナー、マゼンタトナー、シアントナー、ブラックトナーを含んでいるカラーカートリッジを代替選択的に交換可能に収納するための、当該装置内に配置されたカートリッジ収納室と、
　転写材上へトナー像を転写するための転写手段と、
　カートリッジ収納室内に装填されたカートリッジに応じてモノクロ又はカラー調整モードを選択し、画像形成プロセスに関与する帯電電位、基準露光量、現像バイアスを調整する制御手段を有し、
　前記カートリッジは感光体ベルト上にトナー像を生成するものであり、
　選択的にブラックトナー又はイエロートナー、マゼンタトナー、シアントナー、ブラックトナーで作動し得る画像形成装置。」
　
（２）引用例２
　また、原査定の拒絶の理由に引用された、本願の国際出願日前に頒布された特開昭６３−２６５２７５号公報（以下、「引用例２」という。）には、図面とともに以下の事項が記載されている。下線は当審で付与した。
　
（２ａ）「［発明の概要］
　本発明によれば、単一通過三電位ゼログラフイが、二つの画像を完全な見当合わせの下に重ね合せる印刷機内に採用され、これら
画像のうち一つはＭＩＣＲトナーで印刷され、他は非磁気トナー又はかなり安価になる程度にかつ読取り誤差の原因となる雑音が許容レベルまで低減させられる程度に磁気材料成分が低減させられたトナーで印刷される
印刷機任意選択が可能
　ある部分がＭＩＣＲトナーで印刷されかつ残りの部分が非ＭＩＣＲトナーで印刷される複合画像の組合わせと印刷とを同時に行うこと。非ＭＩＣＲトナーは、着色トナーであってもよい。たとえば、小切手用紙は着色されており、また全ての可変情報はＭＩＣＲで印刷される。
　ある部分がＭＩＣＲトナーで印刷されかつ残りの部分が非ＭＩＣＲトナーで印刷される二部分複合画像の、子印刷された用紙上への、組合わせと印刷を同時に行うこと。この場合、非磁気トナーは、着色トナーであつてもよい。一例を挙げれば、非ＭＩＣＲ黒色トナーで印刷された可変情報のあるもの（名前等）を有する小切手用紙であつて、かつ、可変情報を表示する画像のうちのＭＩＣＲトナー部分で印刷された磁気的に符号化された当座預金情報が第二の色でこれに複写される。」（３頁左上欄１行〜右上欄１０行）
　
　上記（２ａ）の摘記事項を総合して勘案すると、引用例２には以下の技術的事項（以下、「引用例２記載の技術的事項」という。）が実質的に記載されている。
「ＭＩＣＲトナー及び非磁気トナーで印刷される印刷機。」
　
３．本願発明１と引用例１記載の発明の対比
　引用例１記載の発明の「プリンタ、複写機、ファクシミリ等の画像形成装置」、「転写材」、「画像を得る」、「感光体ベルト」、「転写手段」、「カートリッジ収納室」は、それぞれ、本願発明１の「多機能プリント又は複写装置」、「記録担体」、「プリントする」、「光導電体」、「転写ステーション」、「収納装置」に相当する。
　また、引用例１記載の発明の「カートリッジ」は、現像器を有することから、本願発明１の「現像ステーション」に相当するといえる。
　そして、引用例１記載の発明が、モノクロモード、又は、カラーモードで画像を得る装置であって、ブラックトナーを含んでいるモノクロカートリッジか、又は、イエロートナー、マゼンタトナー、シアントナー、ブラックトナーを含んでいるカラーカートリッジを代替選択すること、及び、本願発明１が、 第１動作モードでＭＩＣＲトナーを用いて記録担体をプリントするか、又は、第２動作モードで非磁性トナーを用いて記録担体をプリントする装置であって、ＭＩＣＲトナーを含んでいる現像ステーションか、又は、非磁性トナーを含んでいる現像ステーションを代替選択することから、
　両者は、第１の動作モードと第２の動作モードを有し、第１の動作モードに対応するトナーを含む現像ステーション（カートリッジ）と、第２の動作モードに対応するトナーを含む現像ステーション（カートリッジ）を代替選択可能である点で共通する。
　さらに、引用例１記載の発明の「画像形成プロセスに関与する帯電電位、基準露光量、現像バイアス」は、本願発明１の「プリントプロセスに関与する部分ユニットのプロセスパラメータ」に相当し、また引用例１記載の発明の「調整する」は、本願発明１の「調整セッティング値を設定する」に相当する。
　そして、引用例１記載の発明が、制御手段を有することと、本願発明１が、動作制御部と動作制御部と作用結合しているプロセス制御部を有することから、両者は、共に制御部を有する点でも共通している。
　
　したがって、両者は、
「多機能プリント又は複写装置であって、
　単一の装置内に、第１の動作モードで第１の動作モードに対応するトナーを用いて記録担体をプリントするか、又は、第２の動作モードで第２の動作モードに対応するトナーを用いて記録担体をプリントする装置構成部を有しており、
　前記装置構成部は下記構成要素を有し、即ち
　第１の動作モードに対応するトナーを含んでいる現像ステーションか又は第２の動作モードに対応するトナーを含んでいる現像ステーションを代替選択的に交換可能に収容するための、当該装置内に配置された収容装置を有し、前記現像ステーションは光導電体上にトナー像を生成するものであり、
　記録担体上へトナー像を転写するための転写ステーションを有し、
　収容装置内に配された現像ステーションに依存して動作モードを設定し、調整セッティングされた動作モードに依存して、プリントプロセスに関与する部分ユニットのプロセスパラメータの調整セッティング値を設定する制御部を有する、
　選択的に第１の動作モードに対応するトナー又は第２の動作モードに対応するトナーで作動し得るプリント又は複写装置。」
　である点で一致し、以下の点で相違する。
　
（１）相違点１
　本願発明１は、ＭＩＣＲトナーを含んでいる現像ステーションか又は非磁性トナーを含んでいる現像ステーションを代替的に交換可能に収納し、選択的に磁性又は非磁性トナーで作動しうるプリント又は複写装置であるのに対して、引用例１記載の発明は、ブラックトナーを含んでいる現像ステーションか又はイエロートナー、マゼンタトナー、シアントナー、ブラックトナーを含んでいる現像ステーションを代替的に交換可能に収納し、選択的にブラックトナー又は、イエロートナー、マゼンタトナー、シアントナー、ブラックトナーで作動しうるプリント又は複写装置である点。
　
（２）相違点２
　本願発明１は、制御部が、動作モードを設定する動作制御部と、動作制御部と作用結合している、プリントプロセスに関与する部分ユニットのプロセスパラメータの調整セッティング値を設定するプロセス制御部により成るのに対して、引用例１記載の発明は、制御部が制御手段によりなり、当該制御手段により、動作モードの設定と、調整セッティングされた動作モードに依存して、プリントプロセスに関与する部分ユニットのプロセスパラメータの調整セッティング値の設定を行う点。
　
４．判断
　上記相違点について検討する。
（１）相違点１について
　ＭＩＣＲトナーと非磁性トナーで印刷される印刷機が、引用例２には、記載されている。さらに、ＭＩＣＲトナーによるプリント又は複写装置、及び、非磁性トナーによるプリント又は複写装置は、例をあげるまでもなく周知の技術的事項である。
　してみれば、引用例１記載の発明において、選択的にブラックトナー又は、イエロートナー、マゼンタトナー、シアントナー、ブラックトナーを用いることに代えて、ＭＩＣＲトナー又は非磁性トナーを選択的に用いることを採用して、相違点１に係る構成を有するようにすることは当業者なら容易に想到しうるものである。
　
（２）相違点２について
　引用例１記載の制御手段による制御と、本願発明１の動作制御部とプロセス制御部による制御は、ともに、動作モードを設定し、プリントプロセスに関与する部分ユニットのプロセスパラメータの調整セッティング値を設定するという制御内容において差異はない。
　そして、制御の技術分野において、制御部をその機能によって分けることは、当業者なら必要に応じて適宜なし得る程度の設計的事項に過ぎない。
　よって、引用例１記載の制御手段を、動作制御部とプロセス制御部とに、その機能によって分けて、相違点２に係る構成を有するようにすることは当業者なら適宜なし得る設計的事項である。
　
（３）効果について
　以上のように、引用例１記載の発明において、相違点１及び２に係る構成を有するものとすることは、当業者なら容易に想到しうるものである。
　そして、全体として、本願発明１によってもたらされる効果は、引用例１記載の発明及び周知の技術的事項から当業者なら当然予測することが出来る程度のものであって、格別のものとは言えない。
　
　なお、審判請求人は、平成２０年２月２０日付けの審判請求書において、「ＭＩＣＲトナーで印刷されるのか、または非磁性トナーで印刷されるのかに応じてプロセスパラメータの調整セッティング値は異なるので、制御部内にロードされ、相応に調節されなければなりません。従って本発明では選択された動作モードに依存して、調整セッティング値が調節されるのであります。調整セッティング値として例えば、ＭＩＣＲトナーの場合にはバイアス電圧、光導電体ドラムの帯電電圧、定着温度および中間露光のスイッチオフ等が調節されます。非磁性トナーの場合には例えばバイアス電圧、光導電体ドラムの帯電電圧、定着温度および転写ステーションにおける中間露光がアクティブにされます。ここでこれらの各値は通常は、他のトナーの値とは異なっております。すなわち、良好の印刷像を得るために、使用されるトナーに必要な調節が行われ、これによって１つの同一の装置でＭＩＣＲトナーによる印刷も、非磁性トナーによる印刷も行うことができるという格別の効果が奏されます。」と主張している。
　しかしながら、ブラックトナーで印刷されるか、または、イエロートナー、マゼンタトナー、シアントナー、ブラックトナーで印刷させるのかに応じてもプロセスパラメータの調整セッティング値が異なり、そのため、それぞれの動作モードに応じて調整セッティング値が調節されることは先に示したように引用例１に記載されており、トナーが周知技術であるＭＩＣＲトナーと非磁性トナーとの組合せとしても、同様に調整されるであろうことは当業者なら容易に想到しうるものである。
　
　また、その調整対象のプロセスパラメータは、発明の詳細な説明において、「現像−ないし、現像剤−ステーションと光導電体との間のバイアス電圧、光導電体の帯電、コロトロン電圧ないし転写ステーションにおける中間露光及び定着ステーションにおける中間露光並びに定着ステーションにおける定着温度」のようなものがあり得ると記載されている。
　そして、上記具体的調整対象のプロセスパラメータは、引用例１記載の具体的調整対象である、バイアス電圧、帯電電位、露光量と、重複するものであって、ブラックトナーで印刷されるか、または、イエロートナー、マゼンタトナー、シアントナー、ブラックトナーで印刷させるのかに応じて調整されるプロセスパラメータと、ＭＩＣＲトナーで印刷されるか、または非磁性トナーで印刷されるのかに応じて調整されるプロセスパラメータとの間に顕著な差異はない。
　よって、ブラックトナーで印刷されるか、または、イエロートナー、マゼンタトナー、シアントナー、ブラックトナーで印刷させるのかに代えて、周知技術であるＭＩＣＲトナーか、または、非磁性トナーで印刷するように構成することは、その具体的調整対象にいても差異はなく、当業者なら容易に想到しうるものである。
　
　
５．むすび
　以上のとおりであり、本願の請求項１に係る発明は、引用例１記載の発明、引用例２記載の技術的事項及び周知の技術的事項に基づいて当業者が容易に発明をすることができたものであるから、特許法第２９条第２項の規定により、特許を受けることができず、本願の他の請求項に係る発明について検討するまでもなく、本願は拒絶すべきものである。
　よって、結論のとおり審決する。